(57)【特許請求の範囲】
【請求項１】
ダニ捕獲具の捕獲具本体の上側中央部にダニ誘引視認部を設けて、側部のダニ侵入部から侵入するダニを捕獲具本体の上側中央部のダニ誘引視認部に誘引するようにダニ捕獲具本体のダニ誘引視認部にダニ誘引視認・捕殺用マットを装着するようにダニ誘引用マット装着部を設け、
上記ダニ捕獲具の下面部に底部ダニ侵入孔を設けてこの底部ダニ侵入孔に閉塞用シールを貼り付けるようにし、
上記ダニ誘引視認・捕殺用マットとして、上面側にダニ誘引剤を装着したダニ誘引視認用シートを、下面側にダニ誘引捕殺剤を装着したダニ誘引捕殺用シートを配設したもので、
上記ダニ誘引視認・捕殺用マットをダニ誘引用マット装着部に装着して、ダニ捕獲具の側部のダニ侵入部からダニを誘引して視認する迄は底部ダニ侵入孔に閉塞用シールを貼り付けておき、ダニ侵入部からダニを誘引して上側中央部のダニ誘引視認部で視認した後に上記下面部の閉塞用シールを剥離して底部ダニ侵入孔からダニを誘引して捕殺することを特徴とするダニの誘引視認捕獲方法。
【請求項２】
ダニ捕獲具の下面部に下蓋の下面ケースを開閉可能に設け、この下蓋の下面ケースに底部ダニ侵入孔を設けてこの底部ダニ侵入孔に閉塞用シールを脱着可能に貼り付け、上記閉塞用シールを剥離して底部ダニ侵入孔からダニを誘引して捕殺することを特徴とする請求項１に記載のダニの誘引視認捕獲方法。
【請求項３】
上面側のダニ誘引視認用シートと下面側のダニ誘引捕殺用シートを接合して形成したダニ誘引視認・捕殺用マットをダニ捕獲具のダニ誘引用マット装着部に装着することを特徴とする請求項１または２に記載のダニの誘引視認捕獲方法。
【請求項４】
ダニ誘引視認・捕殺用マットの表面をダニが潜り込めない高密度のシートで形成したことを特徴とする請求項１ないし３のいずれかに記載のダニの誘引視認捕獲方法。
【請求項５】
ダニ誘引視認部の周部にハウスダストの混入防止とダニが乗り越えて侵入するハウスダスト混入防止壁を突設したことを特徴とする請求項１ないし４のいずれかに記載のダニの誘引視認捕獲方法。
【請求項６】
側周部を折曲した透明材のケースに捕獲具本体を設けてダニ捕獲具を形成し、上記ケースの折曲した側部の捕獲具本体の側部に一定間隔で嵌合突起部を突設してこれらの嵌合突起部の間毎にケースの内面にそって侵入するダニ侵入部を設けて、ダニをケースの折曲した側部の捕獲具本体の一定間隔で突設した嵌合突起部の間毎のダニ侵入部から捕獲具本体の中央部のダニ誘引視認部に侵入させることを特徴とする請求項１ないし５のいずれかに記載のダニの誘引視認捕獲方法。
【発明の詳細な説明】
【技術分野】
【０００１】
本発明は、衛生分野における寄生虫駆除のダニの誘引視認捕獲方法に関するものである。
【背景技術】
【０００２】
近年の住宅環境から、屋内のカーペット、畳、布団、べッド、じゅうたん、自動車のシート等にダニが繁殖し、それらがアトビー性皮膚炎、気管支喘息等を誘引する原因であることがきわめて濃厚と考えられている。
【０００３】
そしてまた、生活様式がサッシュ等の洋式化するにつれて、ダニが生息するのに好都合な環境が作り出され、ダニの繁殖を助長しているとも考えられ、人体に害を及ぼすダニ対策は大きな問題になりつつある。
【０００４】
そのため、多くのダニ捕獲具が販売されているが、信頼できない粗悪品が多く出回っている。実際にダニが捕獲されているのかを確認するために、専門家にダニ捕獲確認の検査を依頼する場合、時間がかかるとともに、高額な検査料を必要とするものであった。そこで、出願人は、特開２００３−２３６４２６号公報のように需要者に安心と信頼度を高められるように、捕獲されたダニを毎日でも自宅で簡単に確認できる覗き窓や観察窓を付けたものを開発している。
【先行技術文献】
【特許文献】
【０００５】
【特許文献１】特開２００３−２３５４２６号公報
【発明の概要】
【発明が解決しようとする課題】
【０００６】
しかし、ダニ捕獲具をカーペットや布団、ベッド等に設置すると、ダニ捕獲具にカーペットや布団、ベッド等の糸くずやゴミ、塵などのハウスダストが、ダニを誘引して侵入させるスリットや微小孔から静電作用等によって吸引されたりして混入し、ダニの視認が非常に困難で、需要者は本当にダニが誘引されて捕獲されているのか、との疑念が生じるものであった。
【０００７】
そのため、ダニ捕獲具に、カーペットや布団、ベッド等の糸くずやゴミ、塵などのハウスダストでダニと誤認するおそれのない、本当にダニが誘引されて捕獲できているのか、簡単に確認できて、ダニを捕獲できるダニ誘引捕獲方法を開発するのが課題であった。
【課題を解決するための手段】
【０００８】
本発明は、上記のような点に鑑みたもので、上記の課題を解決するために、ダニ捕獲具の捕獲具本体の上側中央部にダニ誘引視認部を設けて、側部のダニ侵入部から侵入するダニを捕獲具本体の上側中央部のダニ誘引視認部に誘引するようにダニ捕獲具本体のダニ誘引視認部にダニ誘引視認・捕殺用マットを装着するようにダニ誘引用マット装着部を設け、上記ダニ捕獲具の下面部に底部ダニ侵入孔を設けてこの底部ダニ侵入孔に閉塞用シールを貼り付けるようにし、上記ダニ誘引視認・捕殺用マットとして、上面側にダニ誘引剤を装着したダニ誘引視認用シートを、下面側にダニ誘引捕殺剤を装着したダニ誘引捕殺用シートを配設したもので、上記ダニ誘引視認・捕殺用マットをダニ誘引用マット装着部に装着して、ダニ捕獲具の側部のダニ侵入部からダニを誘引して視認する迄は底部ダニ侵入孔に閉塞用シールを貼り付けておき、ダニ侵入部からダニを誘引して上側中央部のダニ誘引視認部で視認した後に上記下面部の閉塞用シールを剥離して底部ダニ侵入孔からダニを誘引して捕殺することを特徴とするダニの誘引視認捕獲方法を提供するものである。
【０００９】
また、ダニ捕獲具の下面部に下蓋の下面ケースを開閉可能に設け、この下蓋の下面ケースに底部ダニ侵入孔を設けてこの底部ダニ侵入孔に閉塞用シールを脱着可能に貼り付け、上記閉塞用シールを剥離して底部ダニ侵入孔からダニを誘引して捕殺することを特徴とするダニの誘引視認捕獲方法を提供するものである。
【００１０】
さらに、上面側のダニ誘引視認用シートと下面側のダニ誘引捕殺用シートを接合して形成したダニ誘引視認・捕殺用マットをダニ捕獲具のダニ誘引用マット装着部に装着することを特徴とするダニの誘引視認捕獲方法を提供するものである。
【００１１】
さらにまた、ダニ誘引視認・捕殺用マットの表面をダニが潜り込めない高密度のシートで形成したことを特徴とするダニの誘引視認捕獲具を提供するものである。
【００１２】
またさらに、ダニ誘引視認部の周部にハウスダストの混入防止とダニが乗り越えて侵入するハウスダスト混入防止壁を突設したことを特徴とするダニの誘引視認捕獲具を提供するものである。
【００１３】
またさらに、側周部を折曲した透明材のケースに捕獲具本体を設けてダニ捕獲具を形成し、上記ケースの折曲した側部の捕獲具本体の側部に一定間隔で嵌合突起部を突設してこれらの嵌合突起部の間毎にケースの内面にそって侵入するダニ侵入部を設けて、ダニをケースの折曲した側部の捕獲具本体の一定間隔で突設した嵌合突起部の間毎のダニ侵入部から捕獲具本体の中央部のダニ誘引視認部に侵入させることを特徴とするダニの誘引視認捕獲具を提供するものである。
【発明の効果】
【００１４】
本発明のダニの誘引視認捕獲方法は、特許請求の範囲の請求項１のように、ダニ捕獲具の捕獲具本体の上側中央部にダニ誘引視認部を設けて、側部のダニ侵入部から侵入するダニを捕獲具本体の上側中央部のダニ誘引視認部に誘引するようにダニ捕獲具本体のダニ誘引視認部にダニ誘引視認・捕殺用マットを装着するようにダニ誘引用マット装着部を設け、上記ダニ捕獲具の下面部に底部ダニ侵入孔を設けてこの底部ダニ侵入孔に閉塞用シールを貼り付けるようにし、上記ダニ誘引視認・捕殺用マットとして、上面側にダニ誘引剤を装着したダニ誘引視認用シートを、下面側にダニ誘引捕殺剤を装着したダニ誘引捕殺用シートを配設したもので、上記ダニ誘引視認・捕殺用マットをダニ誘引用マット装着部に装着して、ダニ捕獲具の側部のダニ侵入部からダニを誘引して視認する迄は底部ダニ侵入孔に閉塞用シールを貼り付けておき、ダニ侵入部からダニを誘引して上側中央部のダニ誘引視認部で視認した後に上記下面部の閉塞用シールを剥離して底部ダニ侵入孔からダニを誘引して捕殺することによって、ダニ捕獲具をダニが生息すると思われるカーペット、畳、布団、べッド、じゅうたん、自動車のシート等に設置して、ダニをダニ捕獲具の側部のダニ侵入部から侵入するようにし、捕獲具本体のダニ誘引視認部に装着したダニ誘引視認・捕殺用マットでダニを捕獲具本体の中央部のダニ誘引視認部に誘引し、誘引したダニをダニ誘引視認部で本当にダニが誘引されることを確認できる。
そして、ダニ侵入部からダニを誘引して視認した後に、ダニ捕獲具の底部の底部ダニ侵入孔を閉塞していた閉塞用シールを剥がし、底部ダニ侵入孔から誘引したダニをダニ誘引視認・捕殺用マットで捕殺でき、本当にダニが捕獲できていることを視認し、捕殺できる。
【００１５】
また、請求項２のように、ダニ捕獲具の下面部に下蓋の下面ケースを開閉可能に設け、この下蓋の下面ケースに底部ダニ侵入孔を設けてこの底部ダニ侵入孔に閉塞用シールを脱着可能に貼り付け、上記閉塞用シールを剥離して底部ダニ侵入孔からダニを誘引して捕殺することによって、ダニ捕獲具の下蓋の下面ケースを開閉してダニ誘引視認・捕殺用マットを装脱できるとともに、上記のようにダニが誘引されることが確認できれば、ダニ捕獲具の底部ダニ侵入孔の閉塞用シールを剥がし、底部ダニ侵入孔からダニを誘引してダニ誘引視認・捕殺用マットで捕殺することができる。
【００１６】
さらに、請求項３のように、上面側のダニ誘引視認用シートと下面側のダニ誘引捕殺用シートを接合して形成したダニ誘引視認・捕殺用マットをダニ捕獲具のダニ誘引用マット装着部に装着することによって、上記のようにダニを誘引して確認でき、ダニ捕獲具の底部の閉塞用シールを剥がして、底部ダニ侵入孔からダニを誘引して捕殺することができる。
【００１７】
さらにまた、請求項４のように、ダニ誘引視認・捕殺用マットの表面をダニが潜り込めない高密度のシートで形成したことによって、ダニはダニ誘引視認・捕殺用マットに潜り込めなく、ダニ誘引視認・捕殺用マットの上に侵入して移動し回るダニを視認でき、確認できる。
【００１８】
またさらに、請求項５のように、ダニ誘引視認部の周部にハウスダストの混入防止とダニが乗り越えて侵入するハウスダスト混入防止壁を突設したことによって、ダニ誘引視認部にゴミや塵のハウスダストが吸引されるのを防止でき、ハウスダストを混入させなくできてハウスダストと誤認しないようにできる。そして、誘引されて侵入してくるダニは、ハウスダスト混入防止壁のまわりをぐるぐると旋回し、ハウスダスト混入防止壁を乗り越えて、ダニ誘引視認部に侵入してくるので、自宅で簡単に本当にダニが誘引されて捕獲できることを視認できて確認でき、需要者に安心と信頼性を高められるようにできる。
【００１９】
またさらに、請求項６のように、側周部を折曲した透明材のケースに捕獲具本体を設けてダニ捕獲具を形成し、上記ケースの折曲した側部の捕獲具本体の側部に一定間隔で嵌合突起部を突設してこれらの嵌合突起部の間毎にケースの内面にそって侵入するダニ侵入部を設けて、ダニをケースの折曲した側部の捕獲具本体の一定間隔で突設した嵌合突起部の間毎のダニ侵入部から捕獲具本体の中央部のダニ誘引視認部に侵入させることによって、糸くずやゴミ、塵などのハウスダストを吸引したり、混入させなくできて、ダニと誤認することなく、ダニをダニ捕獲具の側部の嵌合突起部間のダニ侵入部から侵入させて、上記のように本当にダニが誘引され、捕獲できることを視認でき、確認できる。
【図面の簡単な説明】
【００２０】
【図１】本発明の一実施例のダニ捕獲具の平面図（ａ）と側断面図（ｂ）、
【図２】同上の説明用分解断面図、
【図３】同上の捕獲具本体の平面図（ａ）と側断面図（ｂ）、
【図４】同上の捕獲具本体部の拡大側断面図、
【図５】同上のダニ誘引視認・捕獲用マットの側断面図、
【図６】同上のダニ捕獲具の閉塞用シールを貼り付けた底面図（ａ）と閉塞用シールを剥した底面図（ｂ）、
【図７】同上のさらに他のダニ捕獲具の側断面図、
【図８】同上のさらに他のダニ捕獲具の側断面図、
【図９】同上のさらに他のダニ捕獲具の平面図（ａ）と分解断面図（ｂ）。
【発明を実施するための形態】
【００２１】
本発明のダニの誘引視認捕獲方法は、ダニ捕獲具の捕獲具本体の上側中央部にダニ誘引視認部を設けて、側部のダニ侵入部から侵入するダニを捕獲具本体の上側中央部のダニ誘引視認部に誘引するようにダニ捕獲具本体のダニ誘引視認部にダニ誘引視認・捕殺用マットを装着するようにダニ誘引用マット装着部を設け、上記ダニ捕獲具の下面部に底部ダニ侵入孔を設けてこの底部ダニ侵入孔に閉塞用シールを貼り付けるようにし、上記ダニ誘引視認・捕殺用マットとして、上面側にダニ誘引剤を装着したダニ誘引視認用シートを、下面側にダニ誘引捕殺剤を装着したダニ誘引捕殺用シートを配設したもので、上記ダニ誘引視認・捕殺用マットをダニ誘引用マット装着部に装着して、ダニ捕獲具の側部のダニ侵入部からダニを誘引して視認する迄は底部ダニ侵入孔に閉塞用シールを貼り付けておき、ダニ侵入部からダニを誘引して上側中央部のダニ誘引視認部で視認した後に上記下面部の閉塞用シールを剥離して底部ダニ侵入孔からダニを誘引して捕殺することを特徴としている。
【００２２】
ダニの誘引視認用捕獲具１は、図１（ａ）、（ｂ）、図２のように透明なプラスチック材で５０〜１００ｍｍ径、５〜１０ｍｍ厚さ等の設置容易な大きさとして形成し、ケース２の上面ケース２ａを捕獲具本体３と開閉接合自在に形成するとともに、捕獲具本体３の底部に下面ケース２ｂを開閉自在に形成し、外周部４の下側部から内部にダニを誘引して視認可能にダニ誘引視認・捕殺用マット５を装着し、下側部から誘引したダニを視認して確認し、底面からダニを誘引して捕殺するようにしている。
【００２３】
上面ケース２ａは、図１（ａ）、（ｂ）、図２のように側周部が折曲した断面コ字状の円形状として、捕獲具本体２の外周部に脱着可能に嵌合しているもので、図３（ａ）、（ｂ）のように外周部に歯車のように均一状に所定の間隔で嵌合突起部７を全周にわたって突設した円環盤状の捕獲具本体３に密接状態に接合している。そして、上記嵌合突起部７の間毎に円弧状の微小な間隙のダニ侵入部８を全周にわたって設けて、図４に矢印で示したようにケース２の外周部４の垂直のダニ侵入部８の下側から上面ケース２ａの水平な上面にそってダニを誘引して侵入させるようにしている。
【００２４】
捕獲具本体３としては、図１（ｂ）、図２、図３（ａ）、（ｂ）のように薄い円環盤状として、その外周部に上記のように歯車状に１０〜３０ｍｍ等の均一間隔で０．５〜１ｍｍ厚さ、５〜１０ｍｍ幅等の嵌合突起部７を上端側を０．５〜１ｍｍ程突き出し状態として周設している。また、図３（ａ）、（ｂ）のようにその内部側を３〜５ｍｍ程段落するとともに、その内側方に１〜３ｍｍ程の高さの同心円状にハウスダスト混入防止壁９を設け、中央部に５０〜６０ｍｍ径程の円形状のダニ誘引視認部１０を開口して設け、その周縁部に１〜２ｍｍ程の高さのハウスダスト混入防止壁１１を設けている。
【００２５】
また、捕獲具本体３の裏面側は、図１〜図４のように外周縁部１２を１〜２ｍｍ程高くし、下蓋である下面ケース２ｂの外周部を１〜２ｍｍ程高くした外周嵌合部１３を設けて、上記した外周縁部１２に脱着可能に嵌着するようにしている。そして、図１（ｂ）、図４のようにこの捕獲具本体３の裏面側の外周縁部１２の内側部と下面ケース２ｂとの間に所定空間のダニ誘引用マット装着部を設けて、ダニ誘引視認・捕殺用マット５を装着するようにしている。
【００２６】
ダニ誘引視認・捕殺用マット５としては、黒色等の円形状として、捕獲具本体３の裏面部の外周縁部１２内に装着するようにし、図５のように上面側にダニ誘引視認用シート１４を、下面側にダニ誘引捕殺用シート１５を接合状態としている。その上面側のダニ誘引視認用シート１４としては、所定厚さの不織布１６の表面にダニが潜り込めない高密度繊維布をラミネートしたシート材１７や通気性シート材を貼り合せ、その中間部に所要のダニ誘引剤１８を挟み込んだマット状のものとし、下面側のダニ誘引捕殺用シート１５としては、所定厚さの不織布１９と粘着シート２０の中間部にダニ誘引捕殺剤２１を挟み込んだマット状のものとしている。ダニ誘引視認・捕殺用マット５としては、黒色等の暗色系のものが、ダニを視認しやすくて好ましい。
【００２７】
ダニ誘引剤１８としては、ビール酵母等の食餌性誘引物質、食品香料等の臭香性誘引物質等が使用でき、ダニ誘引捕殺剤２１としては、これらに吸湿性セラミック材等の誘引殺ダニ剤等を混合して使用できる。
【００２８】
下面ケース２ｂは、図１（ｂ) 、図２のように薄い円形盤状として、上面側である内面に上記したように外周嵌合部１３を突設して捕獲具本体３の下面側の外周縁部１２の内側に嵌着し、ダニ誘引視認・捕殺用マット５を捕獲具本体３の下面との間にダニ誘引用マット装着部を設けて装着するようにしている。
【００２９】
上記ダニ捕獲具１の底面部に、図６（ａ）のように所要の底部ダニ侵入孔２２を開孔し、そしてこの底部ダニ侵入孔２２部にアルミシール、剥離シート等の閉塞用シール２３を貼り付けるようにしている。そして、ダニ侵入部８からダニを誘引して視認した後に、図６（ｂ）のように上記閉塞用シール２３を剥離して底部ダニ侵入孔２２からダニを誘引して捕殺するようにしている。
【００３０】
なお、図７のように、捕獲具本体３を、下面ケース２ｂと別体とすることなく、これらを接合して一体化することもできる。
【００３１】
また、必要により、図８のように、捕獲具本体３の中央部に、所定の深さへこませたダニ誘引視認用凹設部２４を設け、このダニ誘引視認用凹設部２４にダニ誘引視認・捕殺用マット５を装着するようにしてもよい。
【００３２】
さらにまた、図９（ａ）、（ｂ）のように、ダニ捕獲具１を四角形状とすることができる。ダニの侵入部８は両側部（図上、上下）に設け、ハウスダスト混入防止壁９、１１は側壁にそって直線状に設け、ダニ誘引視認部１０は中央に矩形状に開口している。これらの作用、効果については、上記した円形状のものと同様である。この場合にも、底面に底部ダニ侵入孔２２を開孔して閉塞用シール２３を剥離脱着可能に貼り付けたり、捕獲具本体３も図６や図７のようにできるものである。
【００３３】
なお、上記では、ダニ誘引視認・捕殺用マット５をダニ誘引視認用シート１４とダニ誘引捕殺用シート１５を一体化したが、別体として使用することも可能である。
【００３４】
上記のようにダニ捕獲具１としては、円形状や四角形等の角形状の形態のものについて説明したが、その他の小判形等の形態であっても同様に適用でき、またダニ侵入部、ダニ誘引視認部等の大きさ、形状等について、ダニの侵入可能な間隙やダニを容易に視認可能な寸法、形状にできるなど、上記した本発明の趣旨にもとづいて適宜な変形態様を採択することができる。
【実施例】
【００３５】
図１以下は、本発明の実施例を示すものである。ダニの誘引視認捕獲具１は、図１（ａ）、（ｂ）〜図３のように１００ｍｍ径、８ｍｍ厚さの大きさとし、そのケース２の１ｍｍ厚さの透明なポリプロピレンの上面ケース２ａを捕獲具本体３に開閉接合分離自在に形成し、捕獲具本体３の底部に下面ケース２ｂを開閉可能に接合し、その内部にダニ誘引視認・捕殺用マット５を装着して、ダニを誘引して視認して捕殺可能としている。
【００３６】
上面ケース２ａは、図１（ａ）、（ｂ）〜図３のように断面コ字状の円形状として、その外周部４を外周部に歯車のように２０ｍｍピッチの間隔で１ｍｍ厚、５ｍｍ幅の嵌合突起部７を上部に０．５ｍｍ突き出して全周にわたって突設した円環盤状の捕獲具本体３に接合し、図４のように嵌合突起部７の間毎の円弧状の微小な間隙のダニ侵入部８の下側から垂直に、そして上面ケース２ａの内面にそって水平に曲がってダニを誘引して侵入させるようにしている。
【００３７】
また、捕獲具本体３には、図３、図４のようにその内部側に２ｍｍ高さの円形状のハウスダスト混入防止壁９を設け、中央部に６０ｍｍ径の円形状のダニ誘引視認部１０を設けて、侵入したダニをハウスダスト混入防止壁９のまわりをぐるぐると旋回させ、このハウスダスト混入防止壁９を乗り越えて、捕獲具本体３の中央部のダニ誘引視認部１０に誘引させるようにしている。その底面側には、下面ケース２ｂとの間にダニ誘引視認・捕殺用マット５を装着するように、下側部から誘引したダニを視認して確認し、底面からダニを誘引して捕殺するようにしている。
【００３８】
上記のように形成したダニ捕獲具１は、その下面ケース２ｂを外して、図１のようにダニ誘引視認・捕殺用マット５を装着し、ダニ捕獲具１をダニの生息し易い寝具等に設置し、２〜１０日程にわたってダニの誘引数を観察した。
【００３９】
ダニは、ダニ誘引視認・捕殺用マット５によって誘引されて図４の矢印で示したようにダニ捕獲具１の外周部４の微小の間隙のダニ侵入部８の下側から侵入し、上面ケース２ａの内面にそって進入して、ハウスダスト混入防止壁９のまわりをぐるぐると旋回し、このハウスダスト混入防止壁９を乗り越えて、捕獲具本体３の中央部のダニ誘引視認部１０に侵入してくる。そこで、ダニが潜り込めないダニ視認誘引用マット５の上に侵入したダニを、透明な上面ケース２ａの上から１０〜３０倍拡大のルーペ等を介して視認することができる。
【００４０】
ダニが３〜２０匹位確認できたら、下面ケース２ｂの底部ダニ侵入孔２２に貼り付けたアルミシールの閉塞用シール２３を剥離し、２〜３ヶ月位経過後、底部ダニ侵入孔２２から侵入して捕獲されたダニ数を検査した結果、平均１５００〜３０００匹が捕殺されていた。
【００４１】
このようにダニ捕獲具１の外周部４の側部のダニ侵入部８からダニを侵入するように誘引し、誘引したダニをダニ誘引視認・捕殺用マット５を介してダニ誘引視認部１０で視認できて、ダニが誘引されることを確認でき、また誘引したダニを捕殺でき、本当にダニが誘引されて捕獲できていることを視認し、確認できる。
【００４２】
また、ダニ捕獲具１の外周部４のダニ侵入部８の下側から垂直に、そして上面ケース２ａの内面にそって水平に曲がってダニを誘引して侵入させるようにしているので、ゴミや塵のハウスダストが吸引されるのを防止できる。さらに、捕獲具本体３の内側に所定の高さのハウスダスト混入防止壁９を設けているので、ハウスダストを混入させなくできてハウスダストと誤認することなく、自宅で簡単に本当にダニが誘引されて捕獲できることを視認し、確認できて、需要者に安心と信頼性を高められるようにできる。
【００４３】
図７は、本発明の他の実施例で、ダニ捕獲具１の捕獲具本体３の下部に下面ケース２ｂを一体的に接合したもので、ダニ誘引視認・捕殺用マット５を挿脱容易にダニ誘引視認部１０に対応した小径のものとすることができる。
【００４４】
図８は、本発明のさらに他の実施例である。本実施例では、捕獲具本体３の中央部に誘引したダニを視認可能にダニ誘引視認用凹設部２４を凹設して捕獲具本体３を下面ケースを兼ねるようにし、ダニ誘引視認・捕殺用マット５を装着するようにしている。本実施例では、捕獲具本体３を下面ケースを兼ねることができ、部品数を削減できて構造を簡素化でき、ダニの誘引視認、捕殺を確認ができる。
【００４５】
図９（ａ）、（ｂ）は、本発明のさらに他の実施例である。本実施例では、ダニ捕獲具１を角形としたもので、ダニ侵入部８は、両側面部に設けており、ハウスダスト混入防止壁９は側壁にそって直線状に設け、ダニ誘引視認部１０は中央に矩形状に開口している。これらの作用、効果についても、上記した円形状のものと同様で、必要により対応することができるものである。ダニ侵入部８は、全側面部に設けることができる。
【産業上の利用可能性】
【００４６】
本発明は、屋内のカーペット、畳、布団、べッド、じゅうたん、自動車のシート等にダニが繁殖し、それらがアトビー性皮膚炎、気管支喘息等を誘引する原因であることがきわめて濃厚と考えられている衛生分野におけるダニ捕獲・捕殺用に広く利用できる。
【符号の説明】
【００４７】
１…ダニ捕獲具      ２…ケース      ２ａ…上面ケース    ２ｂ…下面ケース
３…捕獲具本体      ５…ダニ誘引視認・捕殺用マット        ７…嵌合突起部
８…ダニ侵入部      ９…ハウスダスト混入防止壁        １０…ダニ誘引視認部
２２…底部ダニ侵入孔      ２３…閉塞用シール        
【要約】      （修正有）【課題】カーペットや布団、ベッド等の糸くずやゴミ、塵などのハウスダストでダニと誤認するおそれのない、本当にダニが誘引されて捕獲できているのか、簡単に確認できて、ダニを捕獲できるダニ捕獲具を提供する。【解決手段】ダニ捕獲具１の捕獲具本体３の中央部にダニ誘引視認部１０を設け、側部のダニ侵入部８から侵入するダニを捕獲具本体３の中央部のダニ誘引視認部１０に誘引するようにダニ捕獲具本体３のダニ誘引視認部１０にダニ誘引視認・捕殺用マット５を装着するようにダニ誘引用マット装着部を設け、上記ダニ誘引視認・捕殺用マット５をダニ誘引用マット装着部に装着して、ダニ侵入部８からダニを誘引して視認した後に閉塞用シール剥離して底部ダニ侵入孔からダニを誘引して捕殺する構造にする。【選択図】図１【図１】
0005844935.tif 000002
【図２】
0005844935.tif 000003
【図３】
0005844935.tif 000004
【図４】
0005844935.tif 000005
【図５】
0005844935.tif 000006
【図６】
0005844935.tif 000007
【図７】
0005844935.tif 000008
【図８】
0005844935.tif 000009
【図９】
0005844935.tif 000010